(57)【特許請求の範囲】
【請求項１】
情報処理装置と、該情報処理装置にそれぞれ接続され、該情報処理装置から入力した画像信号に基いた画像をそれぞれ表示する複数の表示装置からなる表示システムであって、
第１の表示装置に設けられた第１の座標入力手段と、
第２の表示装置に設けられた第２の座標入力手段とを有し、
前記第１の表示装置は、
前記第２の座標入力手段から出力された座標情報を受信する受信手段と、
前記第２の座標入力手段から出力された座標情報を、前記第１の座標入力手段から出力された座標情報と座標原点を揃えるように変換する変換手段と、
前記第１の座標入力手段から出力された座標情報と、前記変換手段で変換された座標情報とを前記情報処理装置に送信する第１の送信手段と
を有することを特徴とする表示システム。
【請求項２】
前記第２の表示装置は、前記第２の座標入力手段から出力された座標情報を、前記第１の表示装置に送信するための第２の送信手段を有する請求項１に記載の表示システム。
【請求項３】
情報処理装置及び該情報処理装置に接続された他の表示装置と接続可能な表示装置であって、
座標入力手段と、
前記他の表示装置に設けられた他の座標入力手段から出力された座標情報を受信する受信手段と、
前記他の座標入力手段から出力された座標情報を、前記座標入力手段から出力された座標情報と座標原点を揃えるように変換する変換手段と、
前記座標入力手段から出力された座標情報と、前記変換手段で変換された座標情報とを、前記情報処理装置に送信する送信手段とを有することを特徴とする表示装置。
【発明の詳細な説明】
【０００１】
【発明の属する技術分野】
本発明は、表示装置に関し、特にデジタイザ等の座標入力手段を持つ表示装置に関するものである。
【０００２】
【従来の技術】
従来、表示装置には座標入力手段として、デジタイザを備えるものがあった。従来の表示装置に付属するデジタイザは、その画面の範囲内での座標入力は可能であり、複数の表示装置を並べて表示する際の座標入力に対応していなかった。
そのため、ウインドウズ９８（Windows98 ）等において実現されるマルチディスプレイ機能においてデジタイザによる入力は、情報処理装置に接続されているデジタイザからのみとなっている。
従来の表示装置の座標入力手段では、マルチディスプレイにおいて、全ての表示装置からの座標入力を行うことができないという欠点がある。
【０００３】
なお、同一画面を複数の表示手段で表示する構成において複数の指示デバイスを用いる構成については、特開平１１−１３４１６４号が知られている。
また、複数個の表示手段の組み合わせによって大画面を構成した場合にひとつのポインティング装置で制御を行う構成については、特開平０８−２８６８３５号が知られている。
【０００４】
【発明が解決しようとする課題】
上記従来例では、ひとつの画面（分割前画面）を複数の表示手段で表示する構成において、全ての表示手段に対応した座標入力を行うことができないという不具合があった。
本発明の目的は、マルチディスプレイを用いて分割表示を実現する環境において、全ての表示装置に付属しているデジタイザからの入力を有効にする表示システムもしくは表示装置を提供することである。
【０００５】
【課題を解決するための手段及び作用】
本発明に係る表示システムのひとつは以下のように構成される。
情報処理装置と、該情報処理装置にそれぞれ接続され、該情報処理装置から入力した画像信号に基いた画像をそれぞれ表示する複数の表示装置からなる表示システムであって、
第１の表示装置に設けられた第１の座標入力手段と、
第２の表示装置に設けられた第２の座標入力手段とを有し、
前記第１の表示装置は、
前記第２の座標入力手段から出力された座標情報を受信する受信手段と、
前記第２の座標入力手段から出力された座標情報を、前記第１の座標入力手段から出力された座標情報と座標原点を揃えるように変換する変換手段と、
前記第１の座標入力手段から出力された座標情報と、前記変換手段で変換された座標情報とを前記情報処理装置に送信する第１の送信手段と
を有することを特徴とする表示システム。
この構成においては、２つの座標入力装置からの出力が第１の表示装置に入力されるため、情報処理装置は第１の表示装置と通信を行うことによって２つの座標入力装置からのデータを得ることができる。
【０００６】
ここで、前記第１の座標入力装置からのデータもしくは前記第２の座標入力装置からのデータもしくはその両方を、前記第１の表示手段が表示する画面と前記第２の表示手段が表示する画面とから構成される分割前画面上における座標情報に変換する変換部を有することによって、分割表示を行う構成においても分割前画面に対応する座標データを得ることができる。
すなわち、各座標入力装置においては、各座標入力装置に固有の座標データが得られるが、この各座標入力装置に固有の座標データを分割前画面上における座標情報に変換することによって、各座標入力装置からの座標データを区別することなく扱うことが可能となる。
【０００７】
ここで、前記第１の表示装置は前記情報処理装置に前記第１の座標入力装置と前記第２の座標入力装置からのデータ（その一部もしくは全てを変換したものを含む）を出力する出力部を有していることによって、情報処理装置は各座標入力装置ごとに対応して座標データを受け入れるためのポートを設ける必要が無くなる。このとき、上記変換部が第１の表示装置内のように前記第１の表示装置が前記出力部から前記情報処理装置に各座標入力装置からのデータを出力する前に変換を行える位置に設けられていると第１の表示装置から情報処理装置に座標データを通信するときに、どの座標入力装置から得られた座標データであるかを判別するための情報を付加することなく送信することができる。
【０００８】
またいずれかひとつの座標入力装置から得られる座標データを変換しなくてもいいように該ひとつの座標入力装置の座標原点を分割前画面の座標原点と揃えておくと好適である。後述する実施例では第１の座標入力装置の座標原点を分割前画面の座標原点と揃えているため第１の座標入力装置から得られる座標データについては変換する必要が無く、第２の座標入力装置からの座標データのみを変換すればよい。これは第２の座標入力装置の座標原点を分割前画面の座標原点と揃えておき、第１の座標入力装置からの座標データのみを変換するようにしても良い。
【０００９】
また、前記構成において、第２の座標入力装置を第１の表示装置と直接接続する必要はない。後述する実施例のように、第２の座標入力装置を第２の表示装置と接続し、第２の表示装置を経由して第２の座標入力装置からの座標データを第１の表示装置に送る構成を好適に採用できる。
【００１０】
また、本発明の表示装置は、表示装置であって、所定画面の一部を表示する表示手段と、該所定画面の他の部分を表示する他の表示手段に対応する座標入力装置からの座標データが入力される入力部と、該座標データを前記所定画面における座標データに変換する変換部と、を有することを特徴とする。
【００１１】
【実施例】
本発明の好ましい実施例について図面を用いて説明する。本実施例に係る表示装置及び表示システムは、データプロジェクタに適用することができる。
［第１の実施例］
図１は、本発明の一実施例に係る表示装置のブロック図である。この表示装置は、後述する表示システムにおいて、第１の表示装置として用いられる。図１において、１はひとつの表示装置である。２は表示装置内のデバイスが接続されるシステムバス（System BUS）、３は全体を制御するＣＰＵ（中央演算処理装置）であり、各種処理を実行する。
【００１２】
４はＲＯＭであり、ＣＰＵ３が実行するプログラム等を記憶する。５はＲＡＭであり、後述する画像データ等を記憶する。６は本表示装置１のリモコンとの通信を行うためのリモコンインタフェース（Remote Control I/F）である。７は情報処理装置等と通信を行う（送信手段）ためのシリアル通信出力インタフェース（Serial I/F Output ）である。８は本表示装置１と同型の表示装置である第２の表示装置のシリアル通信出力インタフェース７と接続されるシリアル通信入力インタフェース（Serial I/F Input）であり、第２の表示装置が表示を行う第２の表示手段に対応しており、かつ該第２の表示装置に接続されている第２の座標入力装置であるデジタイザから入力される座標情報等の通信を行うためのものである。
【００１３】
９は描画信号処理部であり、ＲＡＭ５上に展開された画像データ等を描画信号に変換する回路である。液晶パネル１０は表示手段であり、この表示装置により制御され、画像を表示する。表示手段としては、液晶パネル、CRT 、プラズマディスプレイ、冷陰極素子を用いたフラットディスプレイ等を用いることができる。またプロジェクタであっても良く、ここでは液晶パネルを用いたプロジェクタを採用している。液晶パネル１０は、プロジェクタに投影する画像を表示する部分である。反射型の場合、液晶パネル１０に光を当て、液晶パネル１０上に表示された画像を反射し、光学系を経てプロジェクタスクリーンに投影される。透過型の場合は、液晶パネル１０の後ろから光を当て、液晶パネル１０上に表示された画像を、光学系を経てプロジェクタスクリーンに投影する。ここでは、光学系以降については省略する。
【００１４】
１１はこの第１の表示手段に対応する座標入力装置であるデジタイザ１０３のインタフェース（Digitizer I/F）であり（座標データ入力部）、デジタイザ１０３からの生のデータを受信する。即ち、第１の表示装置は、第１の座標入力装置であるデジタイザ１０３からのデータが入力される（受信される）入力部１１（デジタイザインターフェース)を有している。デジタイザの方式については限定しない。
１０１は情報処理装置から送られてくるこの表示装置で表示すべき画面の表示データが入力される画像信号入力部である。ここに入力された信号が前記ＲＡＭ５に入力され、信号処理部９を介して液晶パネル１０に出力される。
【００１５】
図３はこの表示システムの全体を示すブロック図である。１００は情報処理装置であり、第１の表示装置１と第２の表示装置１０２に画像信号を供給する。第１の表示手段に対応して第１の座標入力装置であるデジタイザ１０３が設けられ、第１の表示装置１に接続されている。第２の表示手段に対応して第２の座標入力装置であるデジタイザ１０４が設けられ、第２の表示装置１０２に接続されている。
第２の表示装置１０２は第１の表示装置１と同じ構成のものを用いる。ただし、第２の表示装置１０２においては、シリアル通信出力インターフェース７からの信号は情報処理装置１００ではなく第１の表示装置１のシリアル通信入力インタフェース８に入力される。即ち、第1の表示装置は、第２の座標入力装置であるシリアル通信出力インターフェース７（図３の第２の表示装置中の７）からのデータが入力される入力部８（シリアル通信入力インタフェース）を有している。第２の座標入力装置１０４から入力された座標データは第２の表示装置１０２を経由して第１の表示装置１に入力される。
【００１６】
図２は、本実施例の２台のデジタイザ付属の表示装置を同時に使用する際の状態遷移を示すフローチャートである。Windows98 等で実現されるマルチディスプレイ環境下において、情報処理装置に接続される２台の表示装置に付属したデジタイザ等の座標入力装置を連鎖状に接続した場合であり、第１の表示装置を情報処理装置に接続し、かつ第１の表示装置に他の表示装置に対応する座標入力装置が（第２の表示装置を介して）接続されており、第１の表示装置において他の（第２の）座標入力装置の座標情報等を変換して、それらの座標情報等を情報処理装置に送信しようとするとき、図２に示す状態遷移に従って処理が開始される。
【００１７】
情報処理装置に接続されている表示装置を表示装置Ａ、該表示装置Ａに接続される表示装置を表示装置Ｂとする。本実施例では、２台の表示装置を使用する場合について説明する。各々の表示装置に付属しているデジタイザの座標情報は、原点を画面の左上隅とし、右方向をＸ軸、下方向をＹ軸とした絶対座標であるとする。
【００１８】
ステップＳ１は情報処理装置のマウスドライバ等の初期化処理であり、電源が投入されたとき、リセットボタンを押されたとき等に実行される。
【００１９】
ステップＳ２は表示装置Ｂからの座標情報等の入力の有無の判定であり、表示装置Ｂからの座標情報等の入力がある場合は、ステップＳ３において表示装置Ｂの座標情報等を表示装置Ａが受信する（表示装置Ｂは表示装置Ａに対し、送信する手段により座標情報等を送信する）。表示装置Ｂの座標情報は、表示装置内における原点からの座標なので、マルチディスプレイ環境の原点である表示装置Ａの左上隅を原点とする座標に変換する必要がある。
【００２０】
ステップＳ４において、表示装置Ａ内で表示装置Ｂの座標情報をマルチディスプレイ（分割表示する手段）に対応した座標情報に変換する（変換する手段）。
ステップＳ６において、座標情報等を情報処理装置に送信し、ステップＳ２に戻る。
【００２１】
ステップＳ２で表示装置Ｂからの座標情報等の入力がない場合は、ステップＳ５において、表示装置Ａからの座標情報等の入力の有無の判定を行う。表示装置Ａからの座標情報等の入力がない場合は、ステップＳ２に戻る。ステップＳ５において、表示装置Ａからの座標情報等の入力がある場合は、ステップＳ６において座標情報等を情報処理装置に送信し、ステップＳ２に戻る。また、ステップＳ５において、表示装置Ａからの座標情報等の入力がない場合は、そのままステップＳ２に戻る。
【００２２】
なお、本実施例では、二つの表示装置を接続した場合について説明しているが、三つ以上の表示装置が接続されてもよい。また、本実施例では、プログラムを表示装置内のＲＯＭに格納しているが、システムもしくは装置にプログラムを供給する場合にも適用できることは言うまでもない。この場合、本実施例を達成するためのソフトウェアによって表されるプログラムを格納した記憶媒体をシステムもしくは装置に読み出すことによって、そのシステムもしくは装置が本発明の効果を享受することが可能となる。
また、本実施例においては液晶パネルを用いたが、反射型の場合、テキサスインスツルメンツ社のＤＭＤ等のようにマイクロミラーを集積配置した素子を用いることもできる。
さらに、本発明はプロジェクタのみに限らず、ＰＤＰ等の大画面表示装置にも利用できる。
【００２３】
［他の実施例］
第１の実施例では、記憶媒体としてＲＯＭが用いられている。しかし、本実施例においては、記憶媒体としてＲＯＭの他に、例えばハードディスク、フロッピーディスク、光ディスク、光磁気ディスク、ＣＤ−ＲＯＭ、ＣＤ−Ｒ、ＣＤ−ＲＷ、ＤＶＤ、ＤＶＤ−Ｒ、ＤＶＤ−ＲＡＭ、磁気テープ、不揮発性のメモリカード等を用いることができる。
【００２４】
以上述べた実施例の表示システムによれば、デジタイザ等の座標入力装置を表示装置に付属することにより、分割表示を行う大画面表示装置においてそれぞれの画面でペンを使用してプレゼンテーション等を行うことができ、マウス等によるプレゼンテーションに比べ、実際に手で示しながらプレゼンテーションツール等の操作を行うことができる。
【００２５】
特にこの表示システムによれば、２台の表示手段を並べて情報処理装置の画面を分割表示するWindows98 等のマルチディスプレイ環境において、２台目の表示装置（第２の表示装置）において入力された座標データを１台目の表示装置（第１の表示装置）に送信し、２台目の表示装置において入力された座標データを情報処理装置のマルチディスプレイ環境の座標に変換することにより、２台の表示装置を並べてマルチディスプレイ表示させている状態で一つのペンにより全ての表示手段に対応した座標入力装置を使用することができるようになるという効果がある。
【００２６】
【発明の効果】
本願発明によれば、分割表示を行う構成において、簡便な構成で各画面に対応して座標入力装置を設けることができる。
【図面の簡単な説明】
【図１】  第１の実施例に係る表示装置のブロック図である。
【図２】  第１の実施例に係る２台のデジタイザ付属の表示装置を同時に使用する際の状態遷移を示すフローチャートである。
【図３】  実施例に係る表示システムのブロック図である。
【符号の説明】
１：表示装置、２：システムバス、３：ＣＰＵ、４：ＲＯＭ、５：ＲＡＭ、６：リモコンインタフェース、７：シリアル通信出力インタフェース、８：シリアル通信入力インタフェース、９：（描画）信号処理部、１０：液晶パネル、１１：デジタイザインタフェース。
【図１】
0004560239.tif 000002
【図２】
0004560239.tif 000003
【図３】
0004560239.tif 000004